(57)【要約】      （修正有）【課題】頭部を冷やすための通気性を備え、かつ、健康にとって最良の高さや好みの高さに調節可能な、健康的な枕の提供。【解決手段】本体２と、該本体が装入される枠体４と、本体と枠体とを被覆する枕カバー６とからなる安眠健康竹枕１であって、本体は通気性を有する袋体２ａの中に竹チップ７，８が充填されてなるとともに、枠体は伸縮性材料で且つ上面が開放された略箱型に成形された構成を採用する。枠体の内部には、挿入した本体の位置ズレを防止するための凸部を設けることが可能である。また、袋体内の一辺に、高さ調節を行うための巻込み棒片を備える構成も考え得る。【選択図】図１
0003113662.tif 000002
【実用新案登録請求の範囲】
【請求項１】
本体と、該本体が装入される枠体と、本体と枠体とを被覆する枕カバーとからなる安眠健康竹枕であって、本体は通気性を有する袋体の中に竹チップが充填されてなるとともに、枠体は伸縮性材料で且つ上面が開放された略箱型に成形されてなることを特徴とする安眠健康竹枕。
【請求項２】
前記枠体の内部に、装入した本体の位置ズレを防止するための凸部を設けたことを特徴とする請求項１に記載の安眠健康竹枕。
【請求項３】
前記袋体内の一辺に、高さ調節を行うための巻込み棒片を備えたことを特徴とする請求項１または請求項２に記載の安眠健康竹枕。
【請求項４】
前記枠体の内部に、前記巻込み棒片を嵌入するための受け溝を設けたことを特徴とする請求項３に記載の安眠健康竹枕。
【考案の詳細な説明】
【技術分野】
【０００１】
本考案は、枕に関し、詳しくは、枕内の充填物として片状竹チップを用いるとともに、使用者の好みに合わせて自由に高さ調節が可能な、安眠健康竹枕に関するものである。
【背景技術】
【０００２】
枕は、我々人間にとって睡眠の際に必要不可欠なものであって、使用者それぞれに好みの硬さや高さを持ち合わせており、枕が代わると寝れないと言われるほどである。最近では健康ブームに後押しされるように、使用者は枕についても健康面を考慮するようになり、特に、古くから頭寒足熱といわれるように、頭部は冷やすことが好ましく、また、睡眠時の姿勢が身体の健康に左右するといわれる今日においては、睡眠時の頭部の位置が大変重要である。そのような中、使用者は、使用されている素材や頭部の位置などを選択肢の一つに、自分好みの枕を選ぶようになっている。
【０００３】
従来より、スポンジ等の伸縮性材料やそば殻・プラスチック片等が中に充填された枕が存在する。これらは、それぞれ目的に合わせた機能を備えている。例えば、スポンジは定型性と弾力性を備え、そば殻は通気性を備えて頭部を冷やす機能を有する。これら枕の中で、特にそば殻が充填されたものは、自然素材であって上記機能を有することから、古くから多くの人に愛用されており、また、定型性を有しないことから、そば殻の位置に偏りを持たせることで使用者の好みに合わせてある程度枕の高さを調節することができる。しかしながら、頭部の重さや寝返り等によって、睡眠時間の経過とともにかかる偏りでできた枕の高さは、睡眠中を通して維持されることはほとんど不可能である。であるからといって、高さを維持できる定型性を有する枕では、今度は頭部の通気性が無くなってしまい、健康面にとってマイナスとなる可能性がある。
【考案の開示】
【考案が解決しようとする課題】
【０００４】
上記問題点に鑑み、本考案は、頭部を冷やすための通気性を備え、かつ、健康にとって最良の高さや好みの高さに調節可能な、健康的な枕を提供することを目的とする。
【課題を解決するための手段】
【０００５】
前記目的を達成するため、本考案は、本体と、該本体が装入される枠体と、本体と枠体とを被覆する枕カバーとからなる安眠健康竹枕であって、本体は通気性を有する袋体の中に竹チップが充填されてなるとともに、枠体は伸縮性材料で且つ上面が開放された略箱型に成形された構成となっている。
【０００６】
また、本考案は、前記枠体の内部に、装入した本体の位置ズレを防止するための凸部を設けた構成とすることができる。
【０００７】
さらに、本考案は、前記袋体内の一辺に、高さ調節を行うための巻込み棒片を備えた構成を採ることができる。
【０００８】
そしてまた、本考案は、前記枠体の内部に、前記巻込み棒片を嵌入するための受け溝を設けた構成とすることもできる。
【考案の効果】
【０００９】
本考案にかかる安眠健康竹枕によれば、自然素材である竹チップを用いていることから、竹が本来的に持つ抗菌消臭作用や除湿効果を奏するとともに、安眠作用や頭痛にも大変効果的である。さらに、定型性を有しないことから、竹チップの位置に偏りを持たせることで、使用者の好みに合わせて枕の高さを調節することが可能である。またさらに、竹は、その素材自体に高い通気性を備えているので、筒状竹チップはもちろんのこと、片状竹チップであっても相当程度の通気性を有し、該筒状竹チップ並びに片状竹チップを用いることで、頭部を冷やす作用効果を有しており、人の健康面に優れた効果を得ることができる。
【００１０】
また、本考案にかかる安眠健康竹枕によれば、枠体の内部に凸部を設けた場合、睡眠中の寝返り等による本体の位置ズレを防止することが可能である。
【００１１】
さらに、袋体内の一辺に、高さ調節を行うための巻込み棒片を備えることにより、該袋体内の竹チップを偏らせて、任意の高さに調節する作業を容易に行うことが可能となる効果も備える。
【００１２】
またさらに、枠体の内部に、前記巻込み棒片を嵌入するための受け溝を設けたことにより、睡眠中の寝返り等による袋体の位置ズレを防止する効果をさらに高めることが可能となる。
【考案を実施するための最良の形態】
【００１３】
本考案は、枕内の充填物として竹チップを用いるとともに、該竹チップを偏らせることによって枕を任意の高さへ容易に調節可能としたことを最大の特徴とする。以下、本考案にかかる安眠健康竹枕の実施形態を図面に基づいて説明する。
【００１４】
図１は、本考案にかかる安眠健康竹枕１を示す分解斜視図である。該安眠健康竹枕１は、本体２と、該本体２が装入される枠体４と、本体２と枠体４とを被覆する枕カバー６とから構成される。
【００１５】
本体２は、通気性を有する袋体２ａの中に竹チップ７・８が充填されてなる。該袋体２ａの形状は、竹チップ７・８を充填可能な袋状となっており、また、その材質については、通気性を備えることができれば特に限定するものではなく、該袋体２ａをネット状に形成すれば、ポリエチレン等の材質自体に通気性を有さないものであってもよい。ただし、できることなら天然素材を用いることが望ましい。
【００１６】
また、前記袋体２ａ内の一辺には、図４に示すように、高さ調節を行うための巻込み棒片３を備える構成を採ることが可能である。かかる構成を採用することにより、本体２の高さ調節を行う際、図５に示すように該巻込み棒片３を手Ｈで握りながら、袋体２ａを該巻込み棒片３を軸にして巻き込むことができ、高さ調節が容易に行えるとともに、微妙な高さ調節まで可能となる。
【００１７】
袋体２ａの中に充填される竹チップ７・８について、図面に示すように、筒状竹チップ７や片状竹チップ８など任意の形状をした竹チップ７・８が用いられる。図３は、かかる竹チップ７・８の形状例を示す拡大斜視図である。ただし、これら図示した形状はあくまで例示であって、竹素材の通気性や定形性等が確保できるものであれば、特にその形状を限定するものではない。尚、近年、竹炭の環境浄化・消臭・吸湿・排水・吸水性等の種々の性質が注目され、これらの特性を活かした商品化が進んでいる。かかる商品の製造過程においては、大量の竹材加工片が廃棄物として排出されているが、本発明に使用する竹チップは、この廃材となった竹材加工片を利用することも可能であって、その場合に貴重な天然資源の有効利用やコスト低減による経済的効果を奏する点でも有益となる。
【００１８】
枠体４は、伸縮性材料で且つ上面が開放された凹状の略箱型に成形されており、該凹状箇所には中敷５が備えられている。かかる枠体４と中敷５とは別体とすることもできるし、一体成型による一体型とすることも可能である。素材は、枕としての適度な弾性を有し、人体に影響のないものであれば特に限定するものではなく、例えば一般的に使用されているスポンジや、最近流行の低反発性素材などが考え得る。
【００１９】
尚、かかる中敷５の上面には、睡眠中における頭部の重さや寝返り等によって装入した本体２が位置ズレを起こすのを防止すべく、凸部５ａを設けることが望ましい。また、上記袋体２ａ内の一辺に巻込み棒片３を備えた構成の場合に、中敷５の所定箇所に該巻込み棒片３を嵌入可能な受け溝５ｂを設けることが望ましい。かかる受け溝５ｂに巻込み棒片３を嵌入させることで、本体２の位置ズレ防止効果がさらに向上することとなる。
【００２０】
枕カバー６は、前記本体２を装入した枠体４を被覆できれば、その形状に特に限定はない。図面に示すような略筒状ではなく、平面状の布状物で巻くように被覆する形状のものも考え得る。また、該枕カバー６の素材については、綿やタオル地等が考えられる。尚、竹の繊維で作られている布やタオル地を使用すれば、上述した竹の素材が有する抗菌・消臭・除湿・安眠等、種々の効果が増加する点で非常に有効である。
【００２１】
上記の通り構成される本体2と枠体４と枕カバー６とから、本考案にかかる安眠健康竹枕１が完成される。以下、かかる安眠健康竹枕１を使用可能状態とするまでの態様について説明する。
【００２２】
図２は、本考案にかかる安眠健康竹枕１の第一の使用態様を示す説明図である。枠体４における凹状箇所の中敷５上面に、任意の高さに調節された本体２が装入される。本体２の高さ調節は、充填された竹チップ７・８の袋体２ａ内での偏り調整を行うことで可能となる。図２（ａ）に示すように、袋体２ａ全体に満遍なく竹チップ７・８を拡がらせれば、本体２の高さは低くなる。また、図２（ｂ）に示すように、袋体２の約半分にまで竹チップ７・８を集めて余った袋体２ａを巻き込むように折り畳むことで、本体２の高さは若干高くなる。さらに、図２（ｃ）に示すように、袋体２ａの約１／３程度まで竹チップ７・８を集合させて余った袋体２ａを同様に巻き込むように折り畳むことにより、本体２の高さは相当高くなる。このようにして本体２の高さ調節を行った後、枠体４内に該本体２を装入し、最後に枕カバー６で被覆することで、本考案にかかる安眠健康竹枕１が使用可能状態となる。
【００２３】
尚、図面では、中敷５に傾斜を設けた構造について示しているが、かかる構造に限定されるものではない。たたし、かかる傾斜を設けることで、本体２のみの高さ調節機能だけでなく、該本体２を中敷５上面のどの位置に置くかによって、安眠健康竹枕１の高さ調節が可能となる。
【００２４】
図６は、本考案にかかる安眠健康竹枕１の第ニの使用態様を示す説明図である。枠体４における凹状箇所の中敷５上面に、任意の高さに調節された本体２が装入されることは上記同様である。本体２の高さ調節は、充填された竹チップ７・８の袋体２ａ内での偏り調整を行うことで可能となる。図６（ａ）に示すように、巻き込み棒片３に袋体２ａを巻き込むことなく、該袋体２ａ全体に満遍なく竹チップ７・８を拡がらせれば、本体２の高さは低くなる。また、図６（ｂ）に示すように、巻き込み棒片３に袋体２ａを若干巻き込んで、竹チップ７・８を袋体２の一方へ若干集めることにより、本体２の高さは若干高くなる。さらに、図６（ｃ）に示すように、巻き込み棒片３に袋体２ａを相当巻き込んで、竹チップ７・８を袋体２ａの一方へ相当集合させることにより、本体２の高さは相当高くなる。このようにして本体２の高さ調節を行った後、枠体４内に該本体２を装入し、最後に枕カバー６で被覆することで、本考案にかかる安眠健康竹枕１が使用可能状態となる。
【００２５】
尚、図面では、枠体４に傾斜を設けた構造について示しているが、かかる構造に限定されるものではない。そしてまた、図面において、中敷５の略中央箇所に巻込み棒片３を嵌入可能な受け溝５ｂを設けた構造について示しているが、かかる受け溝５ｂを設けることは必ずしも必要ではなく、また、設ける箇所についても中敷５におけるどの位置であってもよい。受け溝５ｂを設けた場合、該受け溝５ｂに巻込み棒片３を嵌入させることで、本体２の位置ズレ防止効果に資することとなる
【図面の簡単な説明】
【００２６】
【図１】本考案にかかる安眠健康竹枕を示す分解斜視図である。
【図２】本考案にかかる安眠健康竹枕の第一の使用態様を示す説明図である。
【図３】本考案にかかる安眠健康竹枕の充填物として使用する竹チップを示す斜視図である。
【図４】本考案にかかる安眠健康竹枕における本体の第二の実施形態を示す斜視図である。
【図５】第二の実施形態にかかる本体の使用例を示す斜視図である。
【図６】本考案にかかる安眠健康竹枕の第二の使用態様を示す説明図である。
【符号の説明】
【００２７】
１    安眠健康竹枕
２    本体
２ａ  袋体
３    棒片
４    枠体
５    中敷
５ａ  凸部
５ｂ  受け溝
６    枕カバー
７    筒状竹チップ
８    片状竹チップ
Ｈ    手
【図１】
0003113662.tif 000003
【図２】
0003113662.tif 000004
【図３】
0003113662.tif 000005
【図４】
0003113662.tif 000006
【図５】
0003113662.tif 000007
【図６】
0003113662.tif 000008